(57)【要約】【課題】複数枚のパネルを連結して成るローパーティションであって、その下端にアジャスターネジを螺合して適度な高さで支持する為の支持構造において、転倒防止用安定板の取付けが簡単であると共に、高さ調整操作が簡単であり、又パネル間の目地空間を設ける必要のない支持構造の提供。【解決手段】該アジャスターネジ１０の下端部には安定板１１を取着し、そしてネジ頭１２部は床面との間に軸受け１３を介在し、安定板１１の先端部下側には床面との間にスペーサ１５を介在し、該安定板１１をネジ止めしている。【選択図】        図２
2005068668.tif 000002
【特許請求の範囲】
【請求項１】
複数枚のパネルを連結して成るローパーティションであって、その下端にアジャスターネジを螺合して適度な高さで支持する為の支持構造において、該アジャスターネジの下端部には安定板を取着し、そしてネジ頭部は床面との間に軸受けを介在し、安定板の先端部下側には床面との間にスペーサを介在し、必要に応じて該安定板をネジ止めしたことを特徴とするローパーティションの支持構造。
【請求項２】
上記安定板をアジャスターネジの一方側へ延ばした請求項１記載のローパーティションの支持構造。
【請求項３】
上記安定板をアジャスターネジの両側へ延ばした請求項１記載のローパーティションの支持構造。
【発明の詳細な説明】
【０００１】
【発明の属する技術分野】
本発明は周りを囲んで私的な小空間を形成するローパーティションの支持構造に関するものである。ここで、ローパーティションには衝立も含まれる。
【０００２】
【従来の技術】
ローパーティションは小さな私的空間や打合せ室を形成する為に、高さの低いパネルを配置しているが、単に床面に起立しただけでは転倒する為に転倒防止用のＬ型金具を取付けている。該Ｌ型金具の縦片はローパーティションのスタッドにネジ止めされ、底片は床にネジ止めされることでパネルの転倒が防止される。
【０００３】
図５にはＬ型安定板にて支持されているローパーティションの下端部を示しているように、パネル（イ）、（イ）の間にはスタッド（ハ）が床面（ホ）から垂直に起立し、パネル（イ）、（イ）は該スタッド（ハ）を介して連結されている。そしてスタッド下端に螺合しているアジャスターネジ（ニ）にて所定の高さに調整され、その状態でＬ型安定板（ロ）が該スタッド（ハ）にネジ止めされる。
【０００４】
このように、ローパーティションを据え付ける際には、スタッド（ハ）にパネル（イ）、（イ）を連結した後、アジャスターネジ（ニ）を回すことで高さ調整が行われ、所定の高さに定まったところでＬ型安定板（ロ）がスタッド（ハ）及び床面（ホ）にネジ止めされる。すなわち、アジャスターネジ（ニ）とＬ型安定板（ロ）が夫々必要とされ、しかも別々に取付けられている。従って据付作業にはその分だけ時間がかかり、面倒である。
【０００５】
一方、Ｌ型安定板（ロ）はその縦片（ヘ）がローパーティションの表面に露出した状態でネジ止めされる為に外観が損なわれる。又、Ｌ型安定板（ロ）の縦片（ヘ）はスタッド（ハ）にネジ止めする為に、パネル（イ）、（イ）間には隙間（目地）を設けなくてはならず、この点もローパーティションの外観上は好ましくない。
【０００６】
【発明が解決しようとする課題】
このように、従来のローパーティションの転倒防止用Ｌ型安定板には上記のごとき問題がある。本発明が解決しようとする課題はこの問題点であり、転倒防止用安定板の取付けが簡単であると共に、高さ調整操作が容易であり、又パネル間の目地空間を設ける必要のないローパーティションの支持構造を提供する。
【０００７】
【課題を解決する為の手段】
本発明に係るローパーティションの基本的構造は従来と同じであり、スタッド（連結柱）を介在してパネルが連結され、該スタッド下端にはアジャスターネジが螺合している。そしてアジャスターネジを回転するならばスタッドの高さは調整され、同時にスタッドに連結しているパネル高さも調整される。
【０００８】
ところが、本発明ではＬ型安定板が用いられず、その代わり平坦な安定板が使用される。そして該安定板はアジャスターネジの下端部に取着され、該アジャスターネジから水平に延びていて、安定板を旋回させるならばアジャスターネジは回転することが出来る。すなわち、安定板はアジャスターネジのスパナとして機能し、同時にアジャスターネジ及びスタッドを垂直に起立させることが出来る。従って、所定の高さに調整されたところで、安定板は床面に固定される。ただし、安定板を備えるアジャスターネジはローパーティションの形態に応じて定められる。以下、本発明に係る実施例を図面に基づいて詳細に説明する。
【０００９】
【実施例】
図１はローパーティションの横断面を示した具体例であり、Ｌ型に屈曲した形状を成している。パネル１ａ，１ｂの間にはスタッド２が介在しているが、該スタッド２はスタッド片３ａ，３ｂの２ピースで構成され、パネル１ａの側端にはスタッド片３ａがネジ止めされ、他方のパネル１ｂの側端にはスタッド片３ｂがネジ止めされている。そして、パネル１ａ，１ｂを連結するに際して、両スタッド片３ａ，３ｂは互いに突き合され、その上下端には連結金具（図示なし）が嵌着して分離しないように取付けられ、スタッド２を構成する。
【００１０】
パネル１ｂとパネル１ｃはＬ型に屈曲して連結されているが、間にはコーナーポール４が設けられ、該コーナーポール４にはパネル１ｂの側端にネジ止めされたスタッド片３ｂと突き合されて連結金具を介して連結される。同じくパネル１ｃの側端にネジ止めされたスタッド片３ｃがコーナーポール４に突き合された状態で、連結金具にて連結される。
【００１１】
そしてパネル１ｃの先端にはエンドポール５が設けられているが、該エンドポール５とはパネル１ｃの側端にネジ止めしたスタッド片１ｃが突き合され、該スタッド片１ｃとエンドポール５とは連結金具を介して分離しないように繋がれる。両スタッド片３ａ，３ｂを連結する連結金具、スタッド片３ｂとコーナーポール４を連結する連結金具、スタッド片３ｃとコーナーポール４を連結する連結金具、さらにスタッド片１ｃとエンドポール５を連結する連結金具の形状は特に限定しないが、例えば概略コ型形状を有し、２本のアームをスタッド片３ａ，３ｂ・・に形成した溝に嵌着して連結することが出来る。この際、両スタッド片３ａ，３ｂ・・に形成した目地片１９，１９・・はパネル間に僅かな目地空間を形成している。
【００１２】
図２は本発明に係るローパーティションの支持構造を示す実施例である。互いに突き合されるスタッド片３ａ，３ｂを連結する為の連結金具６はコ型を成し、支持板９の両側に２本のアーム７ａ，７ｂが起立し、スタッド片３ａ，３ｂは支持板９に載って支持されると共に、該アーム７ａ，７ｂはスタッド片３ａ，３ｂの溝８，８・・に嵌合している。同じく、スタッド片３ａ，３ｂの上端にも同じ連結金具６が溝８，８・・に嵌って取付けられる。従って、スタッド片３ａ，３ｂは分離することなく突き合されてパネル１ａ，１ｂが連結される。
【００１３】
連結金具６の支持板９の中央にはネジ穴が設けられ、該ネジ穴にはアジャスターネジ１０が螺合している。そしてアジャスターネジ１０を回転するならば、両スタッド片３ａ，３ｂから成るスタット２は上下動し、ひいてはパネル１ａ，１ｂの高さを調整することが出来る。ところで、該アジャスターネジ１０の下端部には安定板１１が取着され、安定板１１を旋回することでアジャスターネジ１０が回転することが出来る。
【００１４】
安定板１１はネジ頭部１２の上側に取付けられ、該ネジ頭部１２は樹脂製の軸受け１３の上に載置されて回転し、ネジ頭部１２の回転に伴う摩擦を軽減している。そして安定板１１は軸受け１３を設けることで床面との間の空間が拡大して旋回し易くなる。安定板１１はスタッド２及びパネル１ａ，１ｂが所定の高さに成ったところで床面に固定される。この際、安定板１１と床面との間には空間が残されている為に、該空間を埋める厚さのスペーサを介在したところでネジ止めされる。
【００１５】
図３は本発明に係るローパーティションの支持構造を示す展開図である。細長い安定板１１の一方端にはアジャスターネジ１０が固定されて起立し、該アジャスターネジ１０は連結金具６の支持板９の中央ネジ穴１４に螺合することが出来る。スタット２の高さ調整は前記図２にて説明したように、安定板１１を旋回させることでアジャスターネジ１０が回転し、高さが定まったならばスペーサ１５を安定板１１の先端部下側に差し込んでネジ止めする。中央のネジ１６でスペーサ１５を固定し、両ネジ１７，１７にて安定板１１を床面に固定する。
【００１６】
図４は支持構造を示す別形態であり、安定板１８はアジャスターネジ１０を中心として両側へ延びている。すなわち、両側へ安定板を延ばすことでアジャスターネジ１０にて支持されるパネル１の両側への転倒が防止される訳で、図３に示すような片側安定板１１と図４に示す両側安定板１８は、ローパーティションの形態に応じて使い分けすることが出来る。
【００１７】
このように、ローパーティションはアジャスターネジにてその下端が支持されると共に、高さの調整が行われる。そして、必要に応じて該アジャスターネジ１０に安定板１１，１８が取着されることで転倒防止機能を備えることが出来る。例えば、図１に示すようなＬ型ローパーティションの場合、パネル１ａ，１ｂを連結するスタッド２の下端、コーナーポール４及びエンドポール５の下端、さらにはコーナーポール４とパネル１ｂとの連結部下端、コーナーポール４とパネル１ｃとの連結部下端、エンドポール５とパネル１ｃとの連結部下端に夫々連結金具を取付けてアジャスターネジ１０にて支持することが出来る。
【００１８】
又は、コーナーポール４とパネル１ｂ，１ｃの連結部下端を１個の連結金具にて支持することも可能である。同じくエンドポール５とパネル１ｃとの連結部下端を１個の連結金具にて支持する場合もある。そして、これらアジャスターネジ１０，１０・・の内、必要に応じて安定板１１，１８が取付けられて、ローパーティションは転倒することなく安定する。
【００１９】
以上述べたように、本発明のローパーティションの支持構造は、アジャスターネジの下端部に安定板を取付けたものであり、次のような効果を得ることが出来る。
【００２０】
【発明の効果】
本発明に係る支持構造はアジャスターネジの下端部に安定板が取着されている為に、該安定板を旋回することでアジャスターネジが回転してパネルの高さが調整される。そして所定の高さに成ったところで安定板の先端部を床面にネジ止めするならば、ローパーティションは転倒することなく安定する。勿論、安定板は必ずしも床面にネジ止めされなくてもよい。
【００２１】
そして、該安定板は平坦な板材であって従来のようなＬ型ではないために、パネルの表面に安定板の一部が位置することはなく、ローパーティションの外観は良くなる。又、パネルパンの目地空間が小さくても、仮に目地空間が存在しないローパーティションであっても、本発明の支持構造の安定板には何ら影響はない。
【図面の簡単な説明】
【図１】ローパーティションの断面。
【図２】本発明に係るローパーティションの支持構造を示す実施例。
【図３】支持構造の展開図。
【図４】支持構造の展開図。
【図５】ローパーティションの従来の支持構造。
【符号の説明】
１  パネル
２  スタッド
３  スタッド片
４  コーナーポール
５  エンドポール
６  連結金具
７  アーム
８  溝
９  支持板
１０  アジャスターネジ
１１  安定板
１２  ネジ頭部
１３  軸受け
１４  ネジ穴
１５  スペーサ
１６  ネジ
１７  ネジ
１８  安定板
１９  目地片
【図１】
2005068668.tif 000003
【図２】
2005068668.tif 000004
【図３】
2005068668.tif 000005
【図４】
2005068668.tif 000006
【図５】
2005068668.tif 000007